(57)【要約】【課題】開口部の開封性の容易さに加えて、開口部の形状の保持が可能で、かつ開口部の切り口の直線性に優れる、開口部形状保持部材付きスタンディングパウチを提供することを課題とする。【解決手段】パウチは前側胴部、後ろ側胴部、およびそれらの間に配置された底フィルム、およびテープ状の高密度ポリエチレンからなり、テープ状の高密度ポリエチレンは、折り曲げや湾曲等の変形を保持可能な、形状保持機能を有しており、上端部シール部より下方において、前側胴部または後ろ側胴部、もしくはその両方の積層体のシーラント層の表面には、テープ状の高密度ポリエチレンが、上端部シール部と同方向に、左右両端部をつなぐ開封予定線として配置、積層されており、左右両端部のうち、少なくとも一方の端部において、テープ状の高密度ポリエチレンを含む積層体には切込みが設けてあることを特徴とする、開口部形状保持部材付きスタンディングパウチである。【選択図】図１
2020075723.tif 000002
【特許請求の範囲】
【請求項１】
プラスチックフィルム層とシーラント層を有する積層体からなるスタンディングパウチにおいて、
パウチは前側胴部、後ろ側胴部、およびそれらの間に配置された底フィルム、およびテープ状の高密度ポリエチレンからなり、
テープ状の高密度ポリエチレンは、長さ方向に一軸延伸されたものであって、折り曲げや湾曲等の変形を保持可能な、形状保持機能を有しており、
前側胴部と、後ろ側胴部とは、四辺を有して、シーラント層同士が対向して配置され、
四辺のうち、左右両端部でシールされて、胴部の両端部は密封されており、
胴部下部において、前側胴部および後ろ側胴部との間に、底フィルムが折りたたまれて配置され、拡張可能にシールされて、パウチ下部は底面を形成可能に密封されており、
胴部上部において、前側胴部および後ろ側胴部とは、内容物充填後、上端部シール部でシールされて、パウチ全体の密封が可能であり、
上端部シール部より下方において、前側胴部または後ろ側胴部、もしくはその両方の積層体のシーラント層の表面には、前記テープ状の高密度ポリエチレンが、上端部シール部と同方向に、左右両端部をつなぐ開封予定線として配置、積層されており、
左右両端部のうち、少なくとも一方の端部において、テープ状の高密度ポリエチレンを含む積層体には切込みが設けてあることを特徴とする、開口部形状保持部材付きスタンディングパウチ。
【請求項２】
前記切込みの先端は、パウチ端部においてテープ状の高密度ポリエチレンの幅の、上下方向の中央より上に設けてあることを特徴とする、請求項１に記載の開口部形状保持部材付きスタンディングパウチ。
【請求項３】
前記テープ状の高密度ポリエチレンのシーラント層への積層は、熱による溶着であることを特徴とする、請求項１または請求項２に記載の開口部形状保持部材付きスタンディングパウチ。
【請求項４】
前記テープ状の高密度ポリエチレンは、その表面または裏面のいずれか、もしくは両面に直鎖状低密度ポリエチレン層が積層されたものであることを特徴とする、請求項１〜請求項３のいずれかに記載の開口部形状保持部材付きスタンディングパウチ。
【請求項５】
前記スタンディングパウチを構成する積層体中に、無機化合物を表面に蒸着したガスバリアフィルム層を含むことを特徴とする、請求項１〜請求項４のいずれかに記載の開口部形状保持部材付きスタンディングパウチ。
【発明の詳細な説明】
【技術分野】
【０００１】
本発明は、形状保持部材付きパウチに関するものである。特に、底フィルムを有して自立性のある、スタンディングパウチと呼ばれる形態のパウチであって、開封に際して開口部の形状の保持が可能で、かつ開封の切り口の直線性に優れる、開口部形状保持部材付きスタンディングパウチに関するものである。
【背景技術】
【０００２】
包装材料の一種であるパウチは、プラスチックフィルムを基材とする単体、または積層体から構成されるものが広く普及しており、さまざまな形態のものが、幅広い用途に用いられており、現代社会において人々の生活に不可欠なものとなっている。
【０００３】
例えば液体容器としても用いられ、飲料のほかレトルト食品などの食品分野でも広く用いられているほか、日用品やトイレタリーの分野でも、さまざまな商品がスーパーマーケットやドラッグストア、コンビニエンスストアの商品棚をにぎわしている。液体容器のほかにも、様々な用途展開がなされている。
【０００４】
パウチの利点は、缶や瓶などの容器に比べて、価格が安いことや、要求品質によってきめ細かい材料設計で対応できる点、あるいは、内容物充填前および流通や保管においても、軽量で省スペースであることが挙げられる。またパウチは、廃棄物を減らすという観点からは環境適応型であるといえる。
【０００５】
また表面から見える層への高精細の印刷によって、商品のイメージアップを図ることができ、内容物に関する必要な情報を表示することが可能であり、バーコードの印刷などは、商品の流通や在庫管理、マーケティング情報の源泉ともなっている。
【０００６】
パウチの中には、自立性を持たせたものも商品化されており、一般にスタンディングパウチと呼ばれている。自立性を持たせることにより、内容物の取り出しにおいて一層の利便性が図られてきた。
【０００７】
さらに加熱調理後のスタンディングパウチの開封に際して、残留した水蒸気の噴出によるやけど防止や、開口部の開封性の容易さに加えて、開口部の形状の保持などが重要視されている。
【０００８】
開口部の形状の保持は、例えば内容物が食品である場合に、パウチからスプーンやフォークなどの食器を用いて、直接取り出して喫食などする場合においては、開口部が閉じることなく、開口した形状が保たれることが望ましい。同時に開封の切り口についても、予め決められた位置で直線状にカットされた状態であることが好ましい。
【０００９】
特許文献１には、開封予定線と、それとは別に開封予定線より内容物側に設けた形状保持部材によって開封形状を維持可能な包装袋が示されているが、開封予定線の直線性について必ずしも考慮されたものではなかった。
【００１０】
加えて形状保持部材より上には、パウチ胴部のプラスチックフィルム、または積層体等の材料が開封口として開口部を取り巻いているために、開口部の形状は形状保持部材とは別に、開口部のプラスチックフィルム、または積層体の形状として不定形になるおそれがあった。
【００１１】
たとえばスプーンやフォークなどの食器を用いて、パウチから内容物の食品を直接取り出して喫食などする場合においては、内容物が取り出しにくい上、開口部に内容物が付着し易かったり、その結果、見た目にも美しさに欠け、商品価値を減ずる恐れがあるものであった。
【００１２】
また一般にコンビニエンスストアなどでは、多くの食品が、トレー、プラスチック容器、あるいはスタンディングパウチなどに収納されて、消費者に供されている。このうち、トレー、プラスチック容器は内容物がなくなったあと、洗浄して廃棄する必要があった。しかしながら、コンビニエンスストアのイートインスペースや、野外での喫食においては実施することが困難であった。
【００１３】
特に、スタンディングパウチのうち、一般的なチャック付きのものは、パウチの開口部が不安定で閉塞しやすく、パウチからの直接の喫食には不向きであって、内容物の取り出し、食器の出し入れに困難を伴なうものであった。
【先行技術文献】
【特許文献】
【００１４】
【特許文献１】特開２０１８−８３６４０号公報
【発明の概要】
【発明が解決しようとする課題】
【００１５】
本発明はかかる状況に鑑みてなされたものであり、スタンディングパウチにおいて、開口部の開封性の容易さに加えて、開口部の形状の保持が可能で、かつ開口部の切り口の直線性に優れる、開口部形状保持部材付きスタンディングパウチを提供することを課題とする。
【課題を解決するための手段】
【００１６】
上記の課題を解決するための手段として、請求項１に記載の発明は、
プラスチックフィルム層とシーラント層を有する積層体からなるスタンディングパウチにおいて、
パウチは前側胴部、後ろ側胴部、およびそれらの間に配置された底フィルム、およびテープ状の高密度ポリエチレンからなり、
テープ状の高密度ポリエチレンは、長さ方向に一軸延伸されたものであって、折り曲げや湾曲等の変形を保持可能な、形状保持機能を有しており、
前側胴部と、後ろ側胴部とは、四辺を有して、シーラント層同士が対向して配置され、
四辺のうち、左右両端部でシールされて、胴部の両端部は密封されており、
胴部下部において、前側胴部および後ろ側胴部との間に、底フィルムが折りたたまれて配置され、拡張可能にシールされて、パウチ下部は底面を形成可能に密封されており、
胴部上部において、前側胴部および後ろ側胴部とは、内容物充填後、上端部シール部でシールされて、パウチ全体の密封が可能であり、
上端部シール部より下方において、前側胴部または後ろ側胴部、もしくはその両方の積層体のシーラント層の表面には、前記テープ状の高密度ポリエチレンが、上端部シール部と同方向に、左右両端部をつなぐ開封予定線として配置、積層されており、
左右両端部のうち、少なくとも一方の端部において、テープ状の高密度ポリエチレンを含む積層体には切込みが設けてあることを特徴とする、開口部形状保持部材付きスタンディングパウチである。
【００１７】
また、請求項２に記載の発明は、
前記切込みの先端は、パウチ端部においてテープ状の高密度ポリエチレンの幅の、上下方向の中央より上に設けてあることを特徴とする、請求項１に記載の開口部形状保持部材
付きスタンディングパウチである。
【００１８】
また、請求項３に記載の発明は、
前記テープ状の高密度ポリエチレンのシーラント層への積層は、熱による溶着であることを特徴とする、請求項１または請求項２に記載の開口部形状保持部材付きスタンディングパウチである。
【００１９】
また、請求項４に記載の発明は、
前記テープ状の高密度ポリエチレンは、その表面または裏面のいずれか、もしくは両面に直鎖状低密度ポリエチレン層が積層されたものであることを特徴とする、請求項１〜請求項３のいずれかに記載の開口部形状保持部材付きスタンディングパウチである。
【００２０】
また、請求項５に記載の発明は、
前記スタンディングパウチを構成する積層体中に、無機化合物を表面に蒸着したガスバリアフィルム層を含むことを特徴とする、請求項１〜請求項４のいずれかに記載の開口部形状保持部材付きスタンディングパウチである。
【発明の効果】
【００２１】
スタンディングパウチにおいて、開口部の開封性の容易さに加えて、開口部の形状の保持が可能で、かつ開口部の切り口の直線性に優れる、開口部形状保持部材付きスタンディングパウチを提供することが可能である。
【００２２】
特に請求項２に記載の発明によれば、切込みの先端は、パウチ端部においてテープ状の高密度ポリエチレンの幅の、上下方向の中央より上に設けてあることによって、開封後のパウチ本体の開口部の端部には、より幅広くテープ状の高密度ポリエチレンが残るために、形状保持はより安定したものとなる。
【００２３】
特に請求項３に記載の発明によれば、テープ状の高密度ポリエチレンの接着は、熱による溶着であることによって、内容物への接着剤等の影響をなくすことができる。
【００２４】
すなわちテープ状の高密度ポリエチレンがパウチの最内層すなわち内容物に接する側に配置されることによって、接着剤等による接着はその影響が懸念されるが、熱溶着であれば、ポリエチレン以外の影響はないことになり、好都合である。
【００２５】
また特に請求項４に記載の発明によれば、テープ状の高密度ポリエチレンに直鎖状低密度ポリエチレンが積層してあることによって、ヒートシール可能であって、テープ状の高密度ポリエチレンの取り付けが、容易であり生産性の点でも、好都合である。またこの溶着によって、テープ状の高密度ポリエチレンは、開封予定線として機能することが可能である。
【００２６】
また特に請求項５に記載の発明によれば、積層体中に、無機化合物を表面に蒸着したガスバリアフィルム層を含むことによって、内容物を外部環境、特に酸素の影響などから保護することができる。
【００２７】
たとえば、内容物が食品や酸化し易い物質の場合には、保存性の向上に効果的である。加えて、金属によるガスバリア層に比べて、透明性を有し、内容物がパウチ外側から可視であり、また高周波加熱などの用途にも適性を有し、金属探知機を備えた検査機への適性も具備することが可能である。
【図面の簡単な説明】
【００２８】
【図１】図１は、本発明に係るスタンディングパウチの一実施態様を説明するための平面模式図である。
【図２】図２は、本発明に係るスタンディングパウチの一実施態様において、開封の状態を説明するための斜視（一部透視）模式図である。
【図３】図３は本発明に係るスタンディングパウチの、実施例１を説明するための平面模式図である。
【図４】図４は、本発明に係るスタンディングパウチの、実施例２を説明するための平面模式図である。
【図５】図５は、本発明に係るスタンディングパウチの、実施例３を説明するための平面模式図である。
【図６】図６は、本発明に係るスタンディングパウチの、比較例１を説明するための平面模式図である。
【図７】図７は、本発明に係るスタンディングパウチの、比較例２を説明するための平面模式図である。
【発明を実施するための形態】
【００２９】
以下、本発明を図を参照しながら、更に詳しい説明を加える。ただし本発明は、ここに示す例にのみ限定されるものではない。本発明は、請求項によって限定されるものである。
【００３０】
図１は、本発明に係るスタンディングパウチの一実施態様を説明するための平面模式図である。
【００３１】
本発明は、プラスチックフィルム層のほか、シーラント層を有する積層体からなるスタンディングパウチ（１００）であって、開口部の開封性の容易さに加えて、開口部の形状の保持が可能で、かつ開口部の切り口の直線性に優れる、開口部形状保持部材付きスタンディングパウチ（１００）である。
【００３２】
また、パウチは前側胴部（１）、後ろ側胴部（８）、およびそれらの間に配置された底フィルム（６）、およびテープ状の高密度ポリエチレン（９）からなり、前側胴部（１）と、後ろ側胴部（８）とは、四辺を有して、シーラント層同士が対向して配置され、四辺のうち、左右両端部シール部（２）でシールされて、胴部の両端部は密封されている。
【００３３】
本発明において、テープ状の高密度ポリエチレン（９）は、長さ方向に一軸延伸されたものであって、折り曲げや湾曲等の変形を保持可能な、形状保持機能を有しているものを用いる。この一軸延伸によって、ポリエチレン分子は、延伸された方向に分子配向性を有する。
【００３４】
胴部下部（１１）において、前側胴部（１）および後ろ側胴部（８）との間に、底フィルム（６）が折線（１０）で山折に折りたたまれて配置され、拡張可能にシールされて、スタンディングパウチ（１００）の胴部下部（１１）は、底フィルム（６）が底面を形成可能に密封されている。
【００３５】
このように、スタンディングパウチ（１００）の胴部下部（１１）において底フィルム（６）が拡張可能にシールされていることによって、内容物を充填した際には底フィルム（６）が底面を形成することが可能になり、スタンディングパウチ（１００）は自立性を有する。
【００３６】
また、胴部上部において、前側胴部（１）および後ろ側胴部（８）とは、内容物充填後、上端部シール部（４）でシールされて、スタンディングパウチ（１００）全体の密封が可能である。
【００３７】
また、上端部シール部（４）より下方において、前側胴部（１）または後ろ側胴部（８）もしくはその両方の積層体のシーラント層の表面には、テープ状の高密度ポリエチレン（９）が、上端部シール部（４）と同方向に、左右両端部シール部（２）をつなぐ開封予定線（７）として配置、接着されている。
【００３８】
また、左右両端部シール部（２）のうち、少なくとも一方の端部シール部において、テープ状の高密度ポリエチレン（９）を含む積層体には、切込み（５）が設けてある。この切込み（５）をきっかけとして、開封予定線（７）すなわちテープ状の高密度ポリエチレン（９）を切り裂いて、開口部形状保持部材付きスタンディングパウチ（１００）を開封することができる。
【００３９】
切込み（５）は一方の端部シール部だけに設けてあるのでもよく、左右両端部シール部（２）に設けてあるのでもよい。図１に示す例のように、左右両端部シール部（２）にそれぞれ設けてある場合には、スタンディングパウチ（１００）の開封において、より利便性が高いものとなる。
【００４０】
すなわち、テープ状の高密度ポリエチレン（９）自身が、延伸方向に高分子の配向性を有しており、この延伸方向に裂け易いことによって、切込み（５）をきっかけとして、テープ状の高密度ポリエチレン（９）自身を、開封予定線（７）と一致したものとして切り裂いて開封することが可能である。
【００４１】
この切込み（５）の先端が、スタンディングパウチ（１００）の端部においてテープ状の高密度ポリエチレン（９）を含む積層体に設けてあることによって、開封のために開封予定線（７）が切り裂かれ、上端部シール部（４）が分離したあと、テープ状の高密度ポリエチレン（９）は、スタンディングパウチ（１００）本体側の開口部の端部を縁取って残ることになり、形状保持機能を安定して発揮させることができる。
【００４２】
また、切込み（５）の先端は、スタンディングパウチ（１００）の左右両端部においてテープ状の高密度ポリエチレン（９）の幅の、上下方向の中央より上に設けることができる。この場合には開封予定線（７）は、テープ状の高密度ポリエチレン（９）の幅の上半分に含まれることになる。
【００４３】
すなわち、この切込み（５）の先端が、スタンディングパウチ（１００）の左右両端部においてテープ状の高密度ポリエチレン（９）の幅の、上下方向の中央より上に設けてあることによって、開封によって開封予定線が切り裂かれ、上端部シール部（４）が分離したあと、テープ状の高密度ポリエチレン（９）は、幅の半分以上がスタンディングパウチ（１００）本体側の開口部の端部を縁取って残ることになり、形状保持機能を安定して発揮させるためにはより好都合である。
【００４４】
図２は本発明に係るスタンディングパウチの一実施態様において、開封の状態を説明するための斜視（一部透視）模式図である。
【００４５】
開封は、側端部シール部の切込みをきっかけにして、左右両端部シール部（２）をつなぐ開封予定線（７）を切り裂いて、胴部上部（１２）を図中矢印の方向に分離してなされる。このとき、テープ状の高密度ポリエチレン（９）のポリエチレン分子は長さ方向に延伸されており、配向性を有するために開封予定線（７）に沿っての切り裂きは容易である。
【００４６】
したがって、開封予定線（７）はテープ状の高密度ポリエチレン（９）の幅の中に含まれていることによって、開口部形状保持部材付きスタンディングパウチ（１００）を開封した際には、本体の開口部（１３）は、テープ状の高密度ポリエチレン（９）がその端部を囲うように覆っている状態にすることができる。
【００４７】
また、本発明による開口部形状保持部材付きスタンディングパウチ（１００）において用いられる、テープ状の高密度ポリエチレン（９）は、長さ方向に一軸延伸されたものであって、折り曲げや湾曲等の変形を保持可能な、形状保持機能を有している。
【００４８】
すなわち、開口部形状保持部材付きスタンディングパウチ（１００）の本体の開口部（１３）の端部は、テープ状の高密度ポリエチレン（９）が囲うように覆っている状態であって、かつテープ状の高密度ポリエチレン（９）は、長さ方向に一軸延伸されたものであって、折り曲げや湾曲等の変形を保持可能であることにより、開口部（１３）の形状はより安定的に保持される。
【００４９】
このように、本発明による開口部形状保持部材付きスタンディングパウチ（１００）において、開口部（１３）の開封性の容易さに加えて、開口部（１３）の形状の保持が可能で、かつ開口部（１３）の切り口の直線性に優れる、開口部形状保持部材付きスタンディングパウチ（１００）を提供することが可能である。
【００５０】
また、本発明による開口部形状保持部材付きスタンディングパウチ（１００）において、テープ状の高密度ポリエチレン（９）のシーラント層への接着は、熱による溶着によるものとすることができる。
【００５１】
すなわちテープ状の高密度ポリエチレン（９）がパウチの最内層すなわち内容物に接する側に配置されることによって、接着剤等による接着はその影響が懸念されるが、熱溶着であれば、ポリエチレン以外の影響はなく、好都合である。
【００５２】
また、本発明による開口部形状保持部材付きスタンディングパウチ（１００）において、テープ状の高密度ポリエチレン（９）は、その表裏いずれか、または両面に直鎖状低密度ポリエチレン層が積層されたものとすることができる。
【００５３】
すなわち、テープ状の高密度ポリエチレン（９）に直鎖状低密度ポリエチレンが積層してあることによって、ヒートシール可能であって、テープ状の高密度ポリエチレンの取り付けが、容易であり生産性の点でも、好都合である。またこの溶着によって、テープ状の高密度ポリエチレン（９）は、開封予定線として機能することが可能である。
【００５４】
また、本発明による開口部形状保持部材付きスタンディングパウチ（１００）において、スタンディングパウチ（１００）を構成する積層体中に、無機化合物を表面に蒸着したガスバリアフィルム層を含むものとすることができる。
【００５５】
すなわち、積層体中に、無機化合物を表面に蒸着したガスバリアフィルム層を含むことによって、内容物を外部環境、特に酸素の影響などから保護することができる。
【００５６】
たとえば、内容物が食品や酸化し易い物質の場合には、保存性の向上に効果的である。加えて、金属によるガスバリア層に比べて、透明性を有し、内容物がパウチ外側から可視であり、また高周波加熱などの用途にも適性を有し、金属探知機を備えた検査機への適性も具備することが可能である。
【００５７】
このように本発明によれば、スタンディングパウチ（１００）において、開口部（１３
）の開封性の容易さに加えて、開口部（１３）の形状の保持が可能で、かつ開口部（１３）の切り口の直線性に優れる、開口部形状保持部材付きスタンディングパウチ（１００）を提供することが可能である。
【００５８】
続いて、本発明による開口部形状保持部材付きスタンディングパウチ（１００）に用いられる、個々の材料について説明を加える。
【００５９】
＜テープ状の高密度ポリエチレン＞
高密度ポリエチレン（ＨＤＰＥ）を高度に一軸延伸することによって、一軸方向に分子配列させたシートを作ることができる。これは、形状保持機能付きポリエチレンとして、素材メーカーから商品として販売されているものである。
【００６０】
形状保持機能付きポリエチレンの性質として、外力加えることによって針金のように自由に形を変えることができる性質を持ち、変形後はその形状を保持し続け、曲げ戻りはほとんどないものである。またこの性質は繰り返しの使用が可能で、打ち抜き加工、ラミネート加工が可能である。また、ポリエチレン素材であるので、軽量であって、リサイクル、あるいは焼却が可能であって、環境適応型の材料である。
【００６１】
また形状保持機能付きポリエチレンは、針金などとは違って錆びることはなく、ポリオレフィンであるからリサイクルが容易であり、場合によっては焼却しても、有毒ガスなどの発生するおそれがない。
【００６２】
本発明においては、パウチの開口部の端部、かつパウチの最内層に配置することによって、パウチを開口した際に、開口部を開いたままその形状を保持することによって、内容物の取り出しに利便性を有する。
【００６３】
逆に、この開口部形状保持部材付きスタンディングパウチではない、一般的なパウチの場合には、積層体の剛性、あるいは弾性によって開口部が閉じてしまい、使い勝手の点で困難が生じるおそれがある。
【００６４】
また、仮に形状保持機能を有する部材を用いたとしても、本発明のように、開口部の端部を覆って設けることは困難であり、開口部の端部は、プラスチックフィルム、あるいはその積層体によって形成されるために、形状が不安定であったり不定形のものになるおそれがある。
【００６５】
＜プラスチックフィルム層＞
本発明において、開口部形状保持部材付きスタンディングパウチ（１００）を構成する積層体には、最外層のプラスチックフィルム層のほか、たとえば中間フィルム層、シーラント層などにプラスチックフィルムが用いられる。またガスバリアフィルム層を設ける場合には、基材フィルムとしてプラスチックフィルムが用いられる。
【００６６】
プラスチックフィルムは、高分子樹脂組成物からなるフィルムであって、たとえばポリオレフィン（ポリエチレン、ポリプロピレン等）、ポリエステル（ポリエチレンテレフタレート、ポリブチレンテレフタレート、ポリエチレンナフタレート等）、ポリアミド（ナイロンー６、ナイロンー６６等）、ポリイミドなどが使用でき、用途に応じて適宜選択される。
【００６７】
特にポリプロピレン、ポリエチレンテレフタレートをプラスチックフィルムとする場合は、フィルム強度と価格においてより好ましい。そのほか延伸ポリアミドフィルムを用いる場合には、積層体に突き刺しに対する強靭性や、衝撃に対する強靭性を付与することが
できる。
【００６８】
またプラスチックフィルムは、接着剤層を介して他の層と積層して積層体とすることができる。積層体の層構成やその材料構成、厚さなどは、パウチに対する要求品質に応じて適宜設計することができる。
【００６９】
＜ガスバリアフィルム＞
また、たとえば内容物の保存性を向上させることなどを目的として、パウチを構成する積層体中に、無機化合物によるガスバリア層を設けることができる。たとえば、プラスチックフィルムの表面にガスバリア層を設けてなるガスバリアフィルムを用いることができる。
【００７０】
またアルミニウムなどの金属箔もガスバリア層として有効ではあるが、電子レンジでの調理には、高周波によるスパークなどが発生するために不適当である。
【００７１】
ガスバリアフィルムの場合には、用いられるプラスチックフィルムは、高分子樹脂組成物からなるフィルムであって、たとえばポリオレフィン（ポリエチレン、ポリプロピレン等）、ポリエステル（ポリエチレンテレフタレート、ポリブチレンテレフタレート、ポリエチレンナフタレート等）、ポリアミド（ナイロンー６、ナイロンー６６等）、ポリイミドなどが使用でき、用途に応じて適宜選択される。特にポリプロピレン、ポリエチレンテレフタレートをプラスチックフィルム基材とする場合は、フィルム強度と価格においてより好ましい。
【００７２】
ガスバリアフィルムの場合、ガスバリア層は無機化合物の蒸着層、コーティング層で構成することができ、プラスチックフィルムにアンカーコートを設けた後、蒸着層、コーティング層を順次設ける。
【００７３】
ガスバリアフィルムのアンカーコート層には、例えばウレタンアクリレートを用いることができる。アンカーコート層の形成には、樹脂を溶媒に溶解した塗料をグラビアコーティングなど印刷手法を応用したコーティング方法を用いるほか、一般に知られているコーティング方法を用いて塗膜を形成することができる。
【００７４】
蒸着層を形成する方法としては，ＳｉＯやＡｌＯなどの無機化合物を真空蒸着法を用いて、アンカーコート層を設けたプラスチックフィルム上にコーティングし、真空蒸着法による無機化合物層を形成することができる。ちなみに蒸着層の厚みは１５ｎｍ〜３０ｎｍが良い。
【００７５】
コーティング層を形成する方法としては、水溶性高分子と、（ａ）一種以上のアルコキシドまたはその加水分解物、または両者、あるいは（ｂ）塩化錫の、少なくともいずれかひとつを含む水溶液あるいは水／アルコール混合水溶液を主剤とするコーティング剤をフィルム上に塗布し、加熱乾燥してコーティング法による無機化合物層を形成しコーティング層とすることができる。このときコーティング剤にはシランモノマーを添加しておくことによってアンカーコート層との密着の向上を図ることができる。
【００７６】
無機化合物層は真空蒸着法による塗膜のみでもガスバリア性を有するが、コーティング法による無機化合物層であるコーティング層を真空蒸着法による無機化合物層である蒸着層に重ねて形成し、ガスバリア層とすることができる。
【００７７】
これら２層の複合により、真空蒸着法による無機化合物層とコーティング法による無機化合物層との界面に両層の反応層を生じるか、或いはコーティング法による無機化合物層
が真空蒸着法による無機化合物層に生じるピンホール、クラック、粒界などの欠陥あるいは微細孔を充填、補強することで、緻密構造が形成される。
【００７８】
そのため、ガスバリアフィルムとしてより高いガスバリア性、耐湿性、耐水性を実現するとともに、外力による変形に耐えられる可撓性を有するため、包装材料としての適性も具備することができる。
【００７９】
またガスバリア層として、たとえばＳｉＯを用いる場合にはその被膜は透明であるために、内容物をパウチの外側から目で見ることが可能である。これらは、用途、要求品質によって適宜使い分けをすればよい。
【００８０】
＜シーラント層＞
シーラント層は、２枚の積層体をシーラント層同士が対向するように重ねて、加熱、加圧してヒートシールすることによって互いを接着させ、パウチに製袋することを可能にする。
【００８１】
シーラント層の材質としては、熱可塑性樹脂のうちポリオレフィン系樹脂が一般的に使用され、具体的には、低密度ポリエチレン樹脂（ＬＤＰＥ）、中密度ポリエチレン樹脂（ＭＤＰＥ）、直鎖状低密度ポリエチレン樹脂（ＬＬＤＰＥ）、エチレン−酢酸ビニル共重合体（ＥＶＡ）、エチレン−αオレフィン共重合体、エチレン−メタアクリル酸樹脂共重合体などのエチレン系樹脂や、ポリエチレンとポリブテンのブレンド樹脂や、ホモポリプロピレン樹脂（ＰＰ）、プロピレン−エチレンランダム共重合体、プロピレン−エチレンブロック共重合体、プロピレン−αオレフィン共重合体などのポリプロピレン系樹脂等を使用することができる。
【００８２】
シーラント層の形成には、押出機などを用いて溶融した樹脂を製膜して、積層体上に層形成することができる。あるいは、あらかじめフィルムの状態に製膜してある材料を、ラミネートによって積層することによって、積層体の表面にシーラント層を形成することも可能である。
【００８３】
＜印刷層＞
必要に応じて、商品としてのイメージアップや、内容物についての必要な情報表示や意匠性の向上を目的として、プラスチックフィルムを基材とする積層体中の、パウチ外側から見える層に印刷層を設けることができる。印刷層はパウチの最外層に設けるのでも構わない。
【００８４】
また印刷層は、パウチの一部に設けるのでもよく、またパウチの全面に渡って設けるのでもよい。あるいは、印刷層を用いずに表示部を設ける方法としては、たとえばパウチの表面に、印刷されたシールを貼着することも可能である。
【００８５】
ここで、印刷方法、および印刷インクには、とくに制約を設けるものではないが、既知の印刷方法、印刷インクの中からプラスチックフィルムへの印刷適性、発色や色調などの意匠性、密着性、用途によっては食品容器としての安全性などを考慮すれば適宜選択してよい。
【００８６】
たとえば、グラビア印刷法、オフセット印刷法、グラビアオフセット印刷法、フレキソ印刷法、シルクスクリーン印刷法、インクジェット印刷法などの既知の印刷方法から選択して用いることができる。中でもグラビア印刷法は、生産性、プラスチックフィルムへの印刷適性、および絵柄の高精細度において好ましく用いることができる。
【００８７】
このように本発明によれば、スタンディングパウチ（１００）において、開口部（１３）の開封性の容易さに加えて、開口部（１３）の形状の保持が可能で、かつ開口部（１３）の切り口の直線性に優れる、開口部形状保持部材付きスタンディングパウチ（１００）を提供することが可能である。
【実施例】
【００８８】
以下本発明を、実施例１〜実施例３、および比較例１〜比較例２によって更に具体的な説明を加える。ただし本発明は、ここに示す例にのみ限定されるものではない。本発明は、請求項によって限定されるものである。
【００８９】
スタンディングパウチの評価用サンプルを、本発明による実施例１〜実施例３、また比較のための比較例１〜比較例２を作成し、内容物を入れて密封し、開封して内容物を取りだして評価した。
【００９０】
図３は本発明に係る、開口部形状保持部材付きスタンディングパウチの実施例１の説明をするための平面模式図である。
【００９１】
すなわち、評価用サンプルは、開封、開口した状態において、
・上辺は、１５０ｍｍ
・下辺は、１３０ｍｍ
・高さは、１５５ｍｍ
・下辺からノッチまでの長さは、１００ｍｍ
である。
なお、この寸法は、実施例１〜実施例３、比較例１〜比較例２の全てのサンプルに共通である。
【００９２】
パウチを構成する積層体の層構成は、下記のとおりである。
パウチ外側から、
ポリエチレンテレフタレートフィルム（厚さ１２μｍ）／延伸ポリアミドフィルム（厚さ１５μｍ／直鎖状低密度ポリエチレン（厚さ８０μｍ）
である。
【００９３】
テープ状の高密度ポリエチレンの層構成は下記のとおりである。
直鎖状低密度ポリエチレン（厚さ３０μｍ）／テープ状の高密度ポリエチレン（厚さ４００μｍ／直鎖状低密度ポリエチレン（厚さ３０μｍ）
である。
【００９４】
テープ状の高密度ポリエチレンは、パウチ最内層に積層されており、積層は溶着による積層とした。
【００９５】
開口部形状保持部材付きスタンディングパウチの実施例、および比較例の評価用サンプルの内容物は下記のとおりである。
・内容物：ハンバーグとした。
【００９６】
開口部形状保持部材付きスタンディングパウチの実施例、および比較例の評価用サンプルの評価項目は下記の４項目である。
・開封性
・開口保持性
・食器による内容物の取り出し易さ
・開口部の美粧性
とした。
【００９７】
開口部形状保持部材付きスタンディングパウチの実施例、および比較例の評価用サンプルの評価方法は下記のとおりである。
・１〜５点で、比較官能評価を行なった。
・パネリストは５名とした。
・評価点は、１点（悪い）・・・５点（良好）とした。
【００９８】
開口部形状保持部材付きスタンディングパウチの実施例、および比較例の評価用サンプルの合否判定は下記のとおりである。
・評価項目の４項目の平均点で総合判定を行なった。
・４点以上を合格、４点未満を不合格とした。
【００９９】
＜実施例１＞
図３は本発明に係るスタンディングパウチの、実施例１を説明するための平面模式図である。
【０１００】
上端部シール部より下方において、前側胴部および後ろ側胴部の積層体のシーラント層の表面には、テープ状の高密度ポリエチレンが、上端部シール部と同方向に、左右両端部をつなぐ開封予定線として配置、積層されており、左右両端部において、テープ状の高密度ポリエチレンを含む積層体には、切込みが設けてある。
【０１０１】
切込みの先端は、パウチ端部においてテープ状の高密度ポリエチレンの幅の、上下方向の中央に設けてある（図３において、拡大図の部分参照）。
【０１０２】
＜実施例２＞
図４は本発明に係るスタンディングパウチの、実施例２を説明するための平面模式図である。
【０１０３】
上端部シール部より下方において、前側胴部および後ろ側胴部の積層体のシーラント層の表面には、テープ状の高密度ポリエチレンが、上端部シール部と同方向に、左右両端部をつなぐ開封予定線として配置、積層されており、左右両端部において、テープ状の高密度ポリエチレンを含む積層体には切込みが設けてある。これは実施例１と同様である。
【０１０４】
切込みの先端は、パウチ端部においてテープ状の高密度ポリエチレンの幅の、上下方向の中央より上に設けてある（図４において、拡大図の部分参照）。
【０１０５】
＜実施例３＞
図５は本発明に係るスタンディングパウチの、実施例３を説明するための平面模式図である。
【０１０６】
上端部シール部より下方において、前側胴部および後ろ側胴部の積層体のシーラント層の表面には、テープ状の高密度ポリエチレンが、上端部シール部と同方向に、左右両端部をつなぐ開封予定線として配置、積層されており、左右両端部において、テープ状の高密度ポリエチレンを含む積層体には切込みが設けてある。これは実施例１と同様である。
【０１０７】
切込みの先端は、パウチ端部においてテープ状の高密度ポリエチレンの幅の、上下方向の中央より下に設けてある（図５において、拡大図の部分参照）。
【０１０８】
＜比較例１＞
図６は本発明に係るスタンディングパウチの、比較例１を説明するための平面模式図である。
【０１０９】
上端部シール部より下方において、前側胴部および後ろ側胴部の積層体のシーラント層の表面には、テープ状の高密度ポリエチレンが、上端部シール部と同方向に、配置、積層されており、それとは別に左右両端部において、切込みが設けてある。
【０１１０】
切込みの先端は、パウチ左右両端部においてテープ状の高密度ポリエチレンを外れて、上に設けてある。したがって開封予定線は存在しない。
この部分が実施例１〜実施例３と異なる。
【０１１１】
＜比較例２＞
図７は本発明に係るスタンディングパウチの、比較例２を説明するための平面模式図である。
【０１１２】
上端部シール部より下方において、前側胴部および後ろ側胴部、の積層体のシーラント層の表面には、前記テープ状の高密度ポリエチレンは設けられておらず、左右両端部において、切込みが設けてある。したがって開封予定線は存在しない。
この部分が、実施例１〜実施例３と異なる。
【０１１３】
評価結果を図１に示す。
【０１１４】
【表１】
2020075723.tif 000003
【０１１５】
表１に示す結果から、本発明による開口部形状保持部材付きスタンディングパウチである、実施例１〜実施例３においては、開封性、開口保持性、内容物の取り出し易さ、開口部の美粧性の４項目の評価結果において、また総合評価において全て４点または５点の評価で合格である。
【０１１６】
これに対して、本発明の範囲を一部逸脱する比較例１、比較例２は、上記４項目の評価結果において、また総合評価において全て３点以下の評価で不合格である。
【０１１７】
このように、本発明による開口部形状保持部材付きスタンディングパウチによれば、開口部の開封性の容易さに加えて、開口部の形状の保持が可能で、かつ開口部の切り口の直線性に優れる、開口部形状保持部材付きスタンディングパウチを提供することが可能であることを検証することができた。
【符号の説明】
【０１１８】
１・・・前側胴部
２・・・左右両端部シール部
３・・・底シール部
４・・・上端部シール部
５・・・切込み
６・・・底フィルム
７・・・開封予定線
８・・・後ろ側胴部
９・・・テープ状の高密度ポリエチレン
１０・・・折線
１１・・・胴部下部
１２・・・胴部上部
１３・・・開口部
１００・・・スタンディングパウチ
【図１】
2020075723.tif 000004
【図２】
2020075723.tif 000005
【図３】
2020075723.tif 000006
【図４】
2020075723.tif 000007
【図５】
2020075723.tif 000008
【図６】
2020075723.tif 000009
【図７】
2020075723.tif 000010